(57)【特許請求の範囲】
【請求項１】
接続孔が形成されたランプホルダを有するランプと、先端に端子が接続された電源用リード線と、遊技機に取り付けられるソケット部とを備え、
前記ソケット部に前記電源用リード線の端子を差し込み保持すると共に、前記ランプホルダの接続孔を前記端子に差し込むことで、前記ランプを前記電源用リード線と電気的に接続した状態で前記ソケット部に組み付け、
前記ソケット部を遊技機の部品にネジ止めにより取り付けることを特徴とする遊技機のランプ取付装置。
【請求項２】
接続孔が形成されたランプホルダを有するランプと、先端に端子が接続された電源用リード線と、遊技機に取り付けられるソケット部とを備え、
前記ソケット部に前記電源用リード線の端子を差し込み保持すると共に、前記ランプホルダの接続孔を前記端子に差し込むことで、前記ランプを前記電源用リード線と電気的に接続した状態で前記ソケット部に組み付け、
前記ソケット部と遊技機の部品とを樹脂で一体に形成することを特徴とする遊技機のランプ取付装置。
【請求項３】
前記端子は前記電源用リード線の先端に圧着して接続された圧着端子であって、前記圧着端子に形成した係止部を、前記ソケット部に形成した被係止部に係止させて、前記圧着端子を保持することを特徴とする請求項１又は２に記載の遊技機のランプ取付装置。
【発明の詳細な説明】
【０００１】
【発明の属する技術分野】
本発明は、ランプの組付構造を改良した遊技機のランプ取付装置に関するものである。
【０００２】
【従来の技術】
近年のパチンコ機は、遊技盤デザインの多様化に伴い、種々のイルミネーション機能を備えており、例えば、入賞装置にランプを内蔵したものがある。このランプの取付構造としては、例えば特許第２５１９４５７号公報に示すものがある。このものは、図９に示すように、電源用リード線１１を半田付けした配線基板１２のスルーホール１３にランプ接続ピン１４を差し込んで半田付けすると共に、ランプ１５を保持するゴム製ランプホルダ１６に形成された接続孔１７をランプ接続ピン１４に差し込むことで、ランプ１５を配線基板１２上に取り付けるようにしている。
【０００３】
【発明が解決しようとする課題】
上記従来の構成では、ランプ１５と電源用のリード線１１との接続に配線基板１２が必要であり、配線基板１２にリード線１１を半田付けし、更に、この配線基板１２にランプ接続ピン１４を差し込んで半田付けすることで、リード線１１とランプ接続ピン１４とを配線基板１２の配線導体を介して接続している。しかしながら、配線基板１２へのリード線１１やランプ接続ピン１４の半田付け作業は、甚だ手間がかかり、作業性が悪いという欠点がある。また、リード線１１と配線基板１２との半田付け部や、配線基板１２とランプ接続ピン１４との半田付け部が接続不良の原因になりやすいという欠点もある。
【０００４】
本発明はこのような事情を考慮してなされたものであり、従ってその目的は、配線基板を用いなくてもランプを組み付けることができ、組付性及び信頼性を向上させ、更に、コスト低減にもなる遊技機のランプ取付装置を提供することにある。
【０００５】
【課題を解決するための手段】
上記目的を達成するために、本発明の請求項１の遊技機のランプ取付装置は、接続孔が形成されたランプホルダを有するランプと、先端に端子が接続された電源用リード線と、遊技機に取り付けられるソケット部とを備え、前記ソケット部に前記電源用リード線の端子を差し込み保持すると共に、前記ランプホルダの接続孔を前記端子に差し込むことで、前記ランプを前記電源用リード線と電気的に接続した状態で前記ソケット部に組み付け、前記ソケット部を遊技機の部品にネジ止めにより取り付ける構成としたものである。
【０００６】
この構成によれば、配線基板の代わりにソケット部を用い、このソケット部に電源用リード線先端の端子を差し込んで、端子をソケット部に保持させる。この端子にランプホルダの接続孔を差し込むことで、接続孔内のランプ配線と端子とが接触して導通した状態となると共に、ランプホルダが保持されて、ランプがソケット部に組み付けられる。つまり、電源用リード線先端の端子をソケット部に保持させて「ランプ装着用ソケット」として機能させ、ランプを電源用リード線に電気的に接続すると共に、ランプを遊技機の取付位置に保持できるようにしている。従って、配線基板を用いなくても、ランプを組み付けることが可能となり、電源用リード線の端子をソケット部に差し込み、この端子にランプホルダの接続孔を差し込むという極めて簡単な方法で、ランプを電源用リード線と電気的に接続すると共にソケット部に組み付けることができる。しかも、ソケット部を遊技機の部品にネジ止めにより取り付けるようにしているため、ソケット部の遊技機の部品への取付を、ネジ止めという確実な方法で行うことができる。
【０００７】
この場合、請求項３のように、電源用リード線の端子として圧着端子を用い、この圧着端子に形成した係止部を、前記ソケット部に形成した被係止部に係止させて、前記圧着端子を保持するようにしても良い。このようにすれば、電源用リード線と端子とを、圧着という簡単な作業で、且つ、確実な方法で接続することができる。しかも、この圧着端子をソケット部に挿入し、圧着端子に形成された係止部を、ソケット部に形成された被係止部に係止させるだけの極めて簡単な方法で、圧着端子をソケット部に保持させることができる。
【００１０】
また、請求項２のように、前記ソケット部と遊技機の部品とを樹脂で一体に形成しても良い。この場合、ソケット部を遊技機の部品ヘ取り付ける作業が不要となり、より一層、組付性が向上すると共に、部品点数も減少する。
【００１１】
【発明の実施の形態】
以下、本発明をパチンコ機のチャッカーに適用した第１実施形態を図１乃至図６に基づいて説明する。チャッカー２１は、樹脂により形成されたチャッカー本体２２と、半透明樹脂により形成されたカバー２３とから構成され、このカバー２３が裏面側からネジ止め（図示せず）によりチャッカー本体２２の前面に取り付けられている。このチャッカー２１は、図３に示すように、チャッカー本体２２の上部左右両端と下部中央に設けられた円孔２４に挿通したネジ（図示せず）により遊技盤（図示せず）に取り付けられている。また、図１及び図２に示すように、チャッカー本体２２の裏面側には、後述するソケット部４１取付用のソケット支持部２５が２本突設され、このソケット支持部２５を有するチャッカー本体２２が特許請求の範囲でいう遊技機の部品に相当する。
【００１２】
後述するように、チャッカー２１の裏面側からランプ３１が取り付けられ、ランプ３１の発する光がカバー２３を透過することでイルミネーション効果を得られるようになっている。ランプ３１は、ランプホルダ３２を介してソケット部４１に保持された状態で取り付けられている。このランプホルダ３２はゴム等の弾性を有する材料で形成されており、ランプホルダ３２の上面に形成された嵌合凹部３３にランプ３１の下部が嵌合され、この嵌合部分が弾性力により締め付けられることで、ランプ３１がランプホルダ３２上に保持されている。また、ランプホルダ３２の下面から嵌合凹部３３に貫通する接続孔３４が２本形成されており、ランプ３１のランプ配線３５がランプホルダ３２の接続孔３４内を通ってランプホルダ３２から突出し、該ランプ配線３５の先端部分が折り曲げられてランプホルダ３２に固定されている（図２参照）。
【００１３】
また、図４乃至図６に示すように、ソケット部４１はナイロン等の樹脂により断面略逆Ｔ字形状に形成され、中央突部分には２つの端子挿入孔４２が形成されている。この端子挿入孔４２は上方部が狭い小径孔４２ａとなっており、各端子挿入孔４２には、それぞれ下方から電源用リード線４３の先端に圧着接続された圧着端子４４が挿入されており、その先端部分が端子挿入孔４２上方部の小径孔４２ａよりソケット部４１の上方に突出されている。圧着端子４４は、例えば黄銅板等の導電性金属板を折曲げ加工により形成されたものであり、電源用リード線４３先端に圧着され、電源用リード線４３の芯線と導通した状態で確実に接続されている。
【００１４】
また、圧着端子４４の側面部には、側方に突出する係止爪４５（係止部）が弾性変形可能に形成されており、この係止爪４５がソケット部４１の各端子挿入孔４２側方に形成された被係止部４６に弾性係止することで、圧着端子４４がソケット部４１に抜け止め状態に保持されている。そして、このソケット部４１の上方に突出した２本の圧着端子４４は、ランプホルダ３２に形成された２つの接続孔３４と同ピッチで並んでおり、図１に示すように、この圧着端子４４にランプホルダ３２の接続孔３４を差し込むことで、接続孔３４内に配置されたランプ配線３５と圧着端子４４とを接触させてランプ３１と電源用リード線４３とを電気的に接続した状態で、ランプ３１をソケット部４１上に組み付けている。
【００１５】
また、ソケット部４１には、二つの円孔４７が形成さており、一方の円孔４７に一方のソケット支持部２５先端に形成された突部２６を挿入した状態で、他方の円孔４７に挿通したネジ４８を、他方のソケット支持部２５に形成されたネジ穴２７に締め込むことで、ソケット部４１をチャッカー本体２２に取り付けている。
【００１６】
次に、ランプ３１をチャッカー２１に取り付ける手順を説明する。まず、遊技盤裏面側に設置された制御ユニット（図示せず）に接続される電源用リード線４３の先端に、予め圧着端子４４を圧着接続しておく。この圧着端子４４を、ソケット部４１に形成された端子挿入孔４２に下方から挿入し、圧着端子４４の先端部分をソケット部４１上方に突出させると共に、圧着端子４４の係止爪４５をソケット部４１の被係止部４６に係止させることで、圧着端子４４をソケット部４１に抜け止め状態に保持させる。そして、ランプ３１を嵌合保持したランプホルダ３２の接続孔３４を、ソケット部４１上方に突出した圧着端子４４の先端部分に差し込む。これにより、ランプ３１がソケット部４１上に組み付けられると共に、圧着端子４４がランプ配線３５に接触して電気的に接続された状態となる。このようにランプ３１を組み付けたソケット部４１の片方の円孔４７を、チャッカー本体２２のソケット支持部２５先端の突部２６に嵌め込み、もう一つの円孔４７に挿入したネジ４８を他方のソケット支持部２５のネジ穴２７に締め込むことで、ソケット部４１をチャッカー本体２２に固定し、ランプ３１をチャッカー２１内に保持した状態にする。
【００１７】
尚、ランプ３１の取付手順は、上記の手順に限定されず、先にソケット部４１をチャッカー本体２２に取り付け、その後に、チャッカー本体２２の表面側からランプ３１を嵌合保持したランプホルダ３２を、ソケット部４１の圧着端子４４に差し込んだ後、カバー２３をチャッカー本体２２にネジ止めするようにしても良い。
【００１８】
以上説明した第１実施形態によれば、従来の配線基板の代わりにソケット部４１を用い、電源用リード線４３先端に圧着接続された圧着端子４４の係止爪４５を、ソケット部４１の被係止部４６に係止させることで、圧着端子４４をソケット部４１に保持させ、この圧着端子４４に、ランプ３１を嵌合保持したランプホルダ３２の接続孔３４を差し込むことで、ランプ３１と電源用リード線４３とが電気的に接続されると共に、ランプ３１がソケット部４１上に保持される。
【００１９】
このため、配線基板を用いることなく、極めて簡単な方法でランプ３１を組み付けることができ、しかも、面倒な半田付け作業も不要となり、組付性が向上する。また、従来、電源用リード線とランプ接続ピンとの間は、電源用リード線と配線基板及び配線基板とランプ接続ピンの２箇所で半田付けしていたが、本実施形態では、リード線４３と圧着端子４４とを直接、圧着接続するので、接触不良の原因となりやすい半田付けが無くなり、接続不良の発生率も低下する。しかも、接続箇所が１箇所（圧着端子４４の圧着部分のみ）であるため、万一、接続不良が発生しても検査箇所が少なく、接続不良を発見する手間も少なくて済む。更に、従来のように、配線基板打抜き工程や配線パターン形成工程等、幾つもの製造工程を必要とする配線基板とは異なり、ソケット部４１は樹脂の射出成形により安価に製造することができ、部品コストも下げることができる。
【００２０】
尚、上記第１実施形態では、ソケット部４１の片方の円孔４７にソケット支持部２５先端の突部２６を挿入し、もう一つの円孔４７で他方のソケット支持部２５のネジ穴２７にネジ止めすることで、ソケット部４１をチャッカー本体２２に固定しているが、両方のソケット支持部２５にネジ穴２７を形成し、ソケット部４１の両方の円孔４７にネジを挿通し、２本のネジを用いてソケット支持部２５にネジ止めすることで、ソケット部４１をチャッカー本体２２に取り付けるようにしても良い。
【００２１】
尚、図７に示す比較例では、ソケット部５１に係合部となる係合孔５３を形成すると共に、ソケット支持部５４先端に被係合部となる係合爪５５を形成し、ソケット部５１の係合孔５３をソケット支持部５４の係合爪５５上に宛がって、ソケット部５１をチャッカー本体５２側に押し込み、ソケット部５１の係合孔５３をソケット支持部５４の係合爪５５に弾性係合させることで、ソケット部５１をチャッカー本体５２に取り付けるようにしている。この場合、ソケット部５１をチャッカー本体５２に、係合という極めて簡単な方法で取り付けることができ、組付性が更に向上すると共に、ネジが不要となり部品点数削減による低コスト化も期待できる。
【００２２】
一方、図８に示す本発明の第２実施形態では、圧着端子４４を差し込み保持するソケット部６１とチャッカー本体６２とを樹脂により一体成形している。これ以外の構成は、前記第１実施形態と同じである。この場合、圧着端子４４は、ソケット部６１に下方から挿入して係止させ、ランプ３１を嵌合保持したランプホルダ３２は、チャッカー本体６２表面側からソケット部６１に差し込むようにし、カバー２３の取付は、ランプ３１の取付終了後に行うようにすれば良い。これにより、ソケット部６１をチャッカー本体６２に取り付ける作業が不要となるばかりか、部品点数が減少するため、より一層の組付性向上及び低コスト化を実現できる。
【００２３】
尚、上記各実施形態では、電源用リード線４３の先端に圧着端子４４を接続したが、電源用リード線４３の先端に圧着端子以外の端子を半田付け等により接続するようにしても良く、この場合でも、本発明の所期の目的は十分に達成することができる。
【００２４】
また、上記各実施形態は、本発明をパチンコ機のチャッカーに適用したものであるが、チャッカー以外に、チューリップ等の入賞装置、センター役物、風車、遊技盤面周辺のイルミネーション装置等に本発明を適用したり、パチンコ機以外の遊技機に本発明を適用しても良い。
【００２５】
その他、本発明は、ソケット部、圧着端子（端子）、ランプホルダ等の形状を適宜変更しても良い等、要旨を逸脱しない範囲内で種々変更して実施できることは言うまでもない。
【００２６】
【発明の効果】
以上の説明から明らかなように、本発明の請求項１の遊技機のランプ取付装置によれば、配線基板を用いなくても、電源用リード線の端子をソケット部に差し込み、この端子にランプホルダの接続孔を差し込むという極めて簡単な方法で、ランプを組み付けることができ、組付性が向上すると共に、接続不良の発生率が低下して信頼性も向上する。更に、ソケット部は配線基板よりも安価に製造することができ、部品コストを低減できると共に、組付性向上による生産コスト低下、接続不良発生率低下による歩留り向上を達成でき、総じてコスト低減を実現することができる。しかも、ソケット部を遊技機の部品にネジ止めにより取り付けるようにしているため、ソケット部の遊技機の部品への取付を、ネジ止めという確実な方法で行うことができる。
【００２７】
また、請求項３では、電源用リード線の端子として圧着端子を用いるため、端子を簡単且つ確実に電源用リード線に接続することができる。しかも、圧着端子の係止部を、ソケット部の被係止部に係止させるだけの極めて簡単な方法で、圧着端子をソケット部に保持することができ、組付性を更に向上できる。
【００３０】
また、請求項２では、ソケット部と遊技機の部品とを樹脂で一体に形成したので、ソケット部を遊技機の部品ヘ取り付ける作業が不要となる上に、部品点数削減による一層の組付性向上及び低コスト化を実現できる。
【図面の簡単な説明】
【図１】本発明の第１実施形態を示すパチンコ機のチャッカーの横断面図
【図２】チャッカーの縦断側面図
【図３】チャッカーの正面図
【図４】ソケットの部分破断正面図
【図５】ソケットの側面図
【図６】（ａ）はソケットの上面図、（ｂ）はソケットの下面図
【図７】比較例を示すパチンコ機のチャッカーの横断面図
【図８】本発明の第２実施形態を示すパチンコ機のチャッカーの横断面図
【図９】従来のランプ取付装置の断面図
【符号の説明】
２１…チャッカー、２２…チャッカー本体（部品）、２３…カバー、２４…円孔、２５…ソケット支持部、２６…突部、２７…ネジ穴、３１…ランプ、３２…ランプホルダ、３３…嵌合凹部、３４…接続孔、３５…ランプ配線、４１…ソケット部、４２…端子挿入孔、４３…リード線、４４…圧着端子、４５…係止爪（係止部）、４６…被係止部、４７…円孔、４８…ネジ、５１…ソケット部、５２…チャッカー本体、５３…係合孔（係合部）、５４…ソケット支持部、５５…係合爪（被係合部）、６１…ソケット部、６２…チャッカー本体。
【図１】
0003606347.tif 000002
【図２】
0003606347.tif 000003
【図３】
0003606347.tif 000004
【図４】
0003606347.tif 000005
【図５】
0003606347.tif 000006
【図６】
0003606347.tif 000007
【図７】
0003606347.tif 000008
【図８】
0003606347.tif 000009
【図９】
0003606347.tif 000010